(57)【要約】      （修正有）【課題】運搬船などの貯蔵庫に大量に石炭などの粒状物が貯蔵された場合であっても、円滑に粒状物を排出できるようにする。【解決手段】貯蔵部２と、粒状物を切り出す切り出し装置と、切り出し装置により切り出された粒状物を搬送するコンベアと、を備えた排出装置１０において、貯蔵部２は下部が互いに近接するように傾斜する一対の側壁部１２Ａ，１２Ｂを備え、一方の側壁部１２Ｂは、他方の側壁１２部Ａよりも下方まで延出しており、側壁部１２Ａ，１２Ｂの下端の間に水平方向に延びるように開口１８が形成されており、貯蔵部２は、開口１８の下方に設けられた受部１６をさらに有し、切り出し装置は、受部１６上に設けられ、開口１８に沿って延びる回転軸と、回転軸を中心として径方向に伸びる羽根とを備えた回転羽根部と、回転羽根部を、回転軸を中心として回転駆動する駆動装置と、を備える。【選択図】図４
2014131881.tif 000002
【特許請求の範囲】
【請求項１】
貯蔵部と、前記貯蔵部に貯蔵された粒状物を切り出す切り出し装置と、前記切り出し装置により切り出された粒状物を搬送するコンベアと、を備えた排出装置であって、
前記貯蔵部は少なくとも下部が互いに近接するように傾斜する一対の側壁を備え、前記一対の側壁の間に前記粒状物を貯蔵する空間が形成され、前記一対の側壁のうちの一方の下端は、他方の側壁の下端よりも下方まで延出しており、前記両側壁の下端の間に水平方向に延びる開口部が形成されており、
前記貯蔵部は、前記開口部の下方に設けられ、上面に前記開口部から流出した前記粒状物を受ける受部をさらに有し、
前記切り出し装置は、前記受部上に設けられ、前記開口部の長手方向に沿って延びる回転軸と、前記回転軸を中心として径方向外方に伸びる切り出し羽根とを備えた回転羽根部と、前記回転軸を回転駆動させる駆動装置と、を備えることを特徴とする排出設備。
【請求項２】
前記回転羽根部は、前記回転軸の軸方向に複数の区間に分割されており、少なくとも一区間における回転羽根部の回転軸に対する取付角度が、他の何れか一区間における回転羽根部の回転軸に対する取付角度と異なっている、
請求項１に記載された排出設備。
【請求項３】
前記複数の区間における回転羽根部の取付角度は、それぞれ、等角度間隔となるように決定された複数の角度の何れかに設定されている、
請求項２に記載された排出設備。
【請求項４】
前記開口部の開口幅を変更可能な閉鎖板を備える、
請求項１乃至３の何れか１項に記載された排出設備。
【発明の詳細な説明】
【技術分野】
【０００１】
本発明は、底割れ式切り出し排出装置に関し、特に、例えば、石炭、鉄鉱石など鉱石、大豆、トウモロコシ等の穀物等の粒状物を貯蔵部内に貯蔵し、この貯蔵された粒状物を貯蔵部の底部から排出することができる装置に関する。
【背景技術】
【０００２】
石炭や、鉄鉱石などの鉱石や、大豆、トウモロコシ等の穀物などの粒状物を貨物船、バージ船から岸壁上に荷揚げする荷揚げ作業は、例えば、岸壁上に設置されたバケットクレーンなどを用いて行われている。しかしながら、このようにバケットクレーンを用いた荷揚げ作業は、バージ船の貯蔵庫内においてブルドーザー等により粒状物を掻き集め、バージ船上にバケットを移動してバケット内に掻き集めた粒状物を収容し、クレーンを回転させてバケットを岸壁上まで移動してバケット内の粒状物を排出する作業を繰り返し行わなければならず、非常に手間と時間がかかる。
【０００３】
これに対して、粒状物の荷揚げ作業をスムーズに行う設備として、例えば、特許文献１には、ホッパー状の貯蔵庫と、貯蔵庫の底面に沿って船体長手方向へ往復走行する回転翼を備えた払出機と、この払出機によって貨物倉の底から取り出された粒状物を岸壁へと送るコンベヤとを備えた運搬船が開示されている。
【先行技術文献】
【特許文献】
【０００４】
【特許文献１】特開２０００−４３７８４号公報
【発明の概要】
【発明が解決しようとする課題】
【０００５】
しかしながら、上記のような運搬船の貯蔵庫に石炭などの粒状物が大量に貯蔵されてしまうと、粒状物の重量が払出機に作用してしまう。このため、払出機の回転翼に大きな抵抗が作用し、また、払出機がスムーズに移動することができず、粒状物の排出作業を円滑に行うことができないという問題がある。
【０００６】
本願発明は、上記の問題に鑑みなされたものであり、その目的は、運搬船などの貯蔵スペースに大量に石炭などの粒状物が貯蔵された場合であっても、粒状物を円滑に排出できるようにすることである。
【課題を解決するための手段】
【０００７】
本発明の排出装置は、貯蔵部と、貯蔵部に貯蔵された粒状物を切り出す切り出し装置と、切り出し装置により切り出された粒状物を搬送するコンベアと、を備えた排出装置であって、貯蔵部は少なくとも下部が互いに近接するように傾斜する一対の側壁を備え、一対の側壁の間に粒状物を貯蔵する空間が形成され、一対の側壁のうちの一方の下端は、他方の側壁の下端よりも下方まで延出しており、両側壁の下端の間に水平方向に延びる開口部が形成されており、貯蔵部は、開口部の下方に設けられ、上面に開口部から流出した粒状物を受ける受部をさらに有し、切り出し装置は、受部上に設けられ、開口部の長手方向に沿って延びる回転軸と、回転軸を中心として径方向外方に伸びる切り出し羽根とを備えた回転羽根部と、回転軸を回転駆動させる駆動装置と、を備えることを特徴とする。
【０００８】
このような構成の本発明によれば、一方の側壁が他方よりも下方まで延出しているため、開口部が側方又は斜め下方に向けて開口することとなり、貯蔵部の貯蔵量が多い場合であっても切り出し装置に作用する粒状物の荷重を低減することができ、切り出し装置がスムーズに駆動する。さらに、回転軸を中心として回転する回転羽根により、粒状物を切り出すため、連続的に定量の粒状物を排出することができる。
【０００９】
本発明において、好ましくは、回転羽根部は、回転軸の軸方向に複数の区間に分割されており、少なくとも一区間における回転羽根部の回転軸に対する取付角度が、他の何れか一区間における回転羽根部の回転軸に対する取付角度と異なっている。
【００１０】
このような構成の本発明によれば、回転羽根部の角度によらず、駆動装置にかかる負荷を平均化させることができる。
【００１１】
本発明において、好ましくは、複数の区間における回転羽根部の取付角度は、それぞれ、等角度間隔となるように決定された複数の角度の何れかに設定されている。
【００１２】
このような構成の本発明によれば、各回転羽根部の取付角度のずれが均一となるため、より一層、駆動装置にかかる負荷を平均化させることができる。
【００１３】
本発明において、好ましくは、開口部の開口幅を変更可能な閉鎖板を備える。
【００１４】
かかる構成の本発明によれば、閉鎖板により開口部の幅を調整することにより、大きさや重量が異なる粒状物であっても、また、粒状物の貯蔵量が変化しても、常に略一定量の粒状物を受部上に落下させることができる。
【発明の効果】
【００１５】
本発明によれば、貯蔵庫内に大量に石炭などの粒状物が貯蔵された場合であっても、スムーズに粒状物を排出できる。
【図面の簡単な説明】
【００１６】
【図１】本発明の第１実施形態による排出装置を備えたバージ船の構成を示す側面図である。
【図２】図１に示すバージ船の平面図である。
【図３】図１におけるIII−III断面図である。
【図４】第１実施形態による排出装置の構成を示す概略斜視図である。
【図５】第１実施形態による排出装置の幅方向断面図である。
【図６】切り出し装置の構成を示し、（Ａ）は正面図、（Ｂ）は（Ａ）におけるＢ−Ｂ断面図、（Ｃ）は（Ａ）におけるＣ−Ｃ断面図、（Ｄ）は（Ａ）におけるＤ−Ｄ断面図である。
【図７】第２実施形態の排出装置を備えた移送船を示す側面図である。
【図８】図７に示す移送船の平面図である。
【図９】図７に示す移送船に搭載された排出装置の立面図である。
【発明を実施するための形態】
【００１７】
以下、本発明の底割れ式切り出し排出装置の第１実施形態を図面を参照しながら詳細に説明する。なお、以下の説明では、底割れ式切り出し排出装置がバージ船に設けられており、このバージ船から他のバージ船又は岸壁へ石炭を移送する場合を例として説明する。
【００１８】
図１は、本発明の第１実施形態による排出装置を備えたバージ船１の構成を示す側面図、図２は図１に示すバージ船１の平面図、図３は図１におけるIII−III断面図である。
図１から図３に示すように、バージ船１は、上部から石炭を投入可能なバージ船の長手方向に延びる細長い形状の貯蔵部２と、貯蔵部２の下部に設けられた切り出し装置４と、貯蔵部２の下方に設けられた船底コンベア６と、船底コンベア６の端部から岸壁まで延びるスプレッダー８とを備える。底割れ式切り出し排出装置１０（以下、排出装置という）は、貯蔵部２と、切り出し装置４と、船底コンベア６とにより構成される。
【００１９】
貯蔵部２は、幅方向（すなわち、バージ船１の幅方向）断面形状が逆三角形状であり、平面形状が長手方向（すなわち、バージ船１の船首から船尾に向かう方向）の後部が、後方に向かって幅が狭くなるように形成されている。また、貯蔵部２の後部は後方に向かって最深部が斜め上方に向かって傾斜している。
【００２０】
図４は、排出装置１０の構成を示す斜視概略図であり、図５は排出装置１０の幅方向断面図である。これらの図に示すように、排出装置１０は幅方向に傾斜し、長手方向に延びるように設けられた一対の側壁部１２Ａ、１２Ｂと、一方の側壁部１２Ｂの下部に沿って設けられ、この側壁部１２Ｂの下端に回転可能に接続された閉鎖板１４と、側壁部１２Ａの下方に連続して設けられた受部１６と、を備えている。
【００２１】
一対の側壁部１２Ａ、１２Ｂは、下方に向かって互いに近接するように傾斜しており、これにより、これら一対の側壁部１２Ａ、１２Ｂの間に逆三角形状の断面を有する三角柱状の貯蔵部２が形成されている。一方の側壁部１２Ｂの下縁は、他方の側壁部１２Ａの下端よりも下方まで延出しており、一方の側壁部１２Ｂの下縁と他方の側壁部１２Ａの下縁との間に、斜め下方に向かって開口する水平方向に延びる開口１８が形成されている。受部１６は開口１８の下方に位置している。なお、これら側壁部１２Ａ、１２Ｂの傾斜角度は、貯蔵部２に貯蔵する粒状物の特性に応じて決定すればよく、例えば、本実施形態のように石炭を貯蔵する場合には、５０°程度とするとよい。
【００２２】
閉鎖板１４は、側壁部１２Ａの下端部に回転可能に接続された長手方向に延びる板材からなる。この閉鎖板１４は、例えば、側壁部１２Ａに固定されたジャッキ等を用いて、側壁部１２Ａと同一平面上に位置した初期位置（図５に破線で示す）から、第２の側壁部１２Ｂから離間する方向へ回動させることができ、これにより、開口１８の幅を調整することができる。
【００２３】
受部１６は、一方の側壁部１２Ｂの下端縁から鉛直下方に延びる鉛直部２０と、鉛直部２０から他方の側壁部１２Ｂ側へと水平に延びる水平部２２と、水平部２２及び鉛直部２０に沿って設けられた円弧状断面の円弧部２３と、により構成される。そして、これら鉛直部２０上に水平部２２に沿って、後述する回転羽根部の回転軸が円弧部２３の中心軸と一致するように切り出し装置４が設けられている。船底コンベア６は、水平部２２の先端の略真下に設けられている。
【００２４】
鉛直部２０の高さ及び水平部２２の幅は、切り出し装置４を停止した状態において、開口１８を通って流出し、受部１６及び切り出し装置４上に堆積した石炭が開口１８を閉鎖するまで、石炭が水平部２２の縁から落下しないように決定すればよい。
【００２５】
図６は切り出し装置４の構成を示し、（Ａ）は正面図、（Ｂ）は（Ａ）におけるＢ−Ｂ断面図、（Ｃ）は（Ａ）におけるＣ−Ｃ断面図、（Ｄ）は（Ａ）におけるＤ−Ｄ断面図である。同図に示すように、切り出し装置４は、モータ２４と、モータ２４に回転軸２６Ａが接続された回転羽根部２６とを備える。モータ２４を回転させることにより、回転羽根部２６が回転軸２６Ａを中心として回転する。
【００２６】
回転羽根部２６は、水平方向に延びる回転軸２６Ａと、回転軸２６Ａから外周に向かって延びる切り出し羽根２６Ｂとを備える。切り出し羽根２６Ｂは周方向に９０°の角度をあけて４枚ずつ取り付けられており、この切り出し羽根２６Ｂに作用する荷重を支持するためフランジプレート２６Ｃが切り出し羽根２６Ｂ及び回転軸に対して垂直に設けられている。
【００２７】
切り出し羽根２６Ｂは、回転軸２６Ａの軸方向に所定の間隔ごと複数の区間に分割されており、各区間において切り出し羽根２６Ｂは回転軸２６Ａに取付角度をずらして取り付けられている。すなわち、本実施形態では、図６に示す状態において、モータ２４から一番離れた区間（以下、Ｂ断面部という）では、切り出し羽根２６Ｂは、図６（Ｂ）に示すように、回転軸２６Ａから鉛直方向及び水平方向に延びるように設けられている。Ｂ断面部のモータ２４側に隣接する区間（以下、Ｃ断面部という）における取付角度は、図６（Ｃ）に示すように、Ｂ断面部に対して３０°ずらした状態となっている。Ｃ断面部のモータ２４側に隣接する区間（以下、Ｄ断面部という）における取付角度は、Ｃ断面部に対して３０°ずらした状態、すなわち、Ｂ断面部に対して６０°ずらした状態となっている。さらに、Ｄ断面部のモータ２４側に隣接する区間における取付角度は、Ｄ断面部に対して３０°ずらした状態、すなわち、Ｂ断面部と同じように、切り出し羽根２６Ｂが鉛直方向及び水平方向に延びた状態となっている。このように、本実施形態では、Ｂ断面部、取付角度をＢ断面部に対して３０°ずらしたＣ断面部、及び取付角度をＢ断面部に対して６０°ずらしたＤ断面部が繰り返し並んでいる。本実施形態のように、回転羽根部２６を、切り出し羽根２６Ｂの取付角度が異なる複数の部分から構成することにより、回転羽根部２６の回転角度によらず、モータ２４にかかる負荷を平均化させることができる。また、このように回転羽根部２６を用いることにより、バージ船１の後部など回転羽根部の回転軸が傾斜して設けられた場合であっても、確実に粒状物の切り出し作業を行うことができる。
【００２８】
図１に示すように、コンベア６の後部は、上方に向かって傾斜しており、後端部がスプレッダー８の回転中心の上方に位置している。スプレッダー８は、斜め上方に向かって延びており、下端を中心として回転可能である。
【００２９】
以下、本実施形態の排出装置を備えたバージ船１に石炭を貯蔵し、貯蔵した石炭を隣接するバージ船１に荷揚げする作業を説明する。
まず、本実施形態の排出装置を備えたバージ船１に石炭を貯蔵する場合には、閉鎖板１４を回転させて側壁部１２Ａの下方に形成された開口１８を閉鎖する。このように開口１８を閉鎖板１４により閉鎖した状態で上方から貯蔵部２に石炭を投入することにより、貯蔵部２内に石炭を貯蔵することができる。
また、貯蔵した石炭を護岸に荷揚げする場合には、まず、バージ船１を護岸に沿うように待機させ、スプレッダー８を、先端が護岸上に位置するように回転させる。
【００３０】
そして、閉鎖板１４を回転させて開口１８を開放する。開口１８を開放すると貯蔵部２内から開口１８を通して石炭が受部１６に流れ出る。このようにして受部１６に流出した石炭は、山状に受部１６上に堆積する。そして、この山状に堆積した石炭が開口１８を塞ぐ高さまで到達し、開口１８を閉塞した状態で石炭が崩れ落ちることなく自立した状態で安定する。これにより、開口１８を通じた貯蔵部２からの石炭の流出がせき止められる。
【００３１】
なお、この際、開口１８を開放する幅が貯蔵部２内に貯蔵された石炭が多い場合には小さく、少ない場合には大きくなるように閉鎖板１４の角度を調整するとよい。これにより石炭の貯蔵量にかかわらず、一定量の石炭が受部１６に排出される。
【００３２】
このような状態で、切り出し装置４のモータ２４を駆動させて、回転羽根部２６を回転させる。回転羽根部２６が回転することにより、開口１８から受部１６上に落下した石炭が船底コンベア６上へと掻き出される。そして、切り出し装置４により受部１６から石炭が掻き出されると、掻き出された石炭と略同量の石炭が、再び開口１８から流れ出す。このため、回転羽根部２６を一定速度で回転させることにより、連続的に、時間当たり略一定量の石炭を船底コンベア６上に落下させることができる。
【００３３】
このようにして、船底コンベア６上に落下した石炭は、船底コンベア６によりその下流側端部まで送られると、スプレッダー８上に落下する。そして、スプレッダー８上に落下した石炭は下流側の端部まで運ばれ、護岸上に堆積される。
【００３４】
以上説明したように、本実施形態によれば、一方の側壁部１２Ｂが他方の側壁部１２Ａよりも下方まで延出しているため、開口１８が側方又は斜め下方に向けて開口することとなり、貯蔵部２の貯蔵量が多い場合であっても切り出し装置４に作用する粒状物の荷重を低減することができ、切り出し装置４がスムーズに駆動する。さらに、切り出し装置４を、回転軸２６Ａと、回転軸を中心として回転する切り出し羽根２６Ｂにより構成したため、連続的に定量の粒状物を排出することができる。
【００３５】
また、回転羽根部２６が、回転軸２６Ａの軸方向に複数の区間に分割されており、各区間における切り出し羽根２６Ｂの回転軸２６Ａに対する取付角度が、他の区間における切り出し羽根２６Ｂの回転軸２６Ａに対する取付角度と異なっているため、回転羽根部２６の角度によらず、モータ２４にかかる負荷を平均化させることができる。
【００３６】
さらに、各区間における切り出し羽根２６Ｂの取付角度が、基準となる区間に対して３０°、６０°、９０°と、３０°間隔でずれているため、各切り出し羽根２６Ｂの取付角度のずれが均一となるため、より一層、モータ２４にかかる負荷を平均化させることができる。このように、モータ等の駆動動力源への負荷を低減することにより、燃料費等のランニングコストも低減できる。
【００３７】
また、閉鎖板１４により開口１８の幅を調整することにより、大きさや重量が異なる粒状物であっても、また、粒状物の貯蔵量が変化しても、常に略一定量の粒状物を受部上に落下させることができる。
さらに、貯蔵部内においてブルドーザー等により粒状物を掻き集める必要がなくなるため、時間及び燃料費等を削減することができる。
【００３８】
以下、第２実施形態の排出装置を大型のバージ船から護岸又は他のバージ船へ石炭等の粒状物を移送するための移送船に適用した場合について説明する。なお、第１実施形態と同様の構成要素については、同じ番号を付して説明を省略する。
【００３９】
図７及び図８は、第２実施形態の移送船１０１を示し、図７は側面図、図８は平面図である。また、図９は移送船１０１に搭載された排出装置１０２の立面図である。
図７に示すように移送船１０１は平面視略矩形状に形成された大型の船舶である。図７及び図８に示すように、移送船１０１のデッキ上には、複数の排出装置１０２と、複数のバックホー１０４とが搭載されている。また、移送船１０１のデッキ上には、第１〜第５のコンベア１０６、１０８、１１０、１１２、１１４と、スプレッダー１１６とが設置されている。第１のコンベア１０６は、移送船１０１の一方の長手方向縁部に沿って延びており、その下流側端部は第２のコンベア１０８の上流側端部の上方に位置している。第２のコンベア１０８は、一方の短手方向縁部に沿って延びており、その下流側端部は第３のコンベア１１０の上流側端部の上方に位置している。第３のコンベア１１０は、他方の長手方向縁部に沿って延びており、その下流側端部は第４のコンベア１１２に接続されている。第４のコンベア１１２は、第３のコンベア１１０に隣接して他方の長手方向縁部に沿って延びている。第５のコンベア１１４は、上流側端部が第４のコンベア１１２の中間部に接続されており、下流側端部がスプレッダー１１６の回転中心上に位置している。かかる構成により、第１のコンベア１０６上に投下された粒状物は、第１〜第５のコンベア１０６、１０８、１１０、１１２、１１４を介して、スプレッダー１１６まで運ばれ、スプレッダー１１６により所望の場所に投下することができる。
【００４０】
図９に示すように、排出装置１０２は、下部に車輪１２２を備えた架台１２０に設置されている。第１実施形態と同様に、排出装置１０２は、貯蔵部２と、切り出し装置４と、コンベア６とを備えている。
【００４１】
また、貯蔵部２は、一対の側壁部１２Ａ、１２Ｂにより形成されており、側壁部１２Ａの下方には開口１８が形成されており、側壁部１２Ａの下端には、閉鎖板１４が回転可能に接続されている。また、開口１８の下方には受部１６が形成されている。
また、本実施形態においても、切り出し装置４としては、図６を参照して説明したモータ及び回転羽根部から構成される装置が用いられている。
【００４２】
以下、本実施形態の移送船１０１により、護岸から石炭をバージ船に移送する方法を説明する。
大型のバージ船から石炭を護岸に移送するためには、まず、移送船１０１を、バックホー１０４が搭載された側の縁部が護岸に隣接するように配置する。そして、スプレッダー１１６を先端がバージ船の貯蔵部の上方に位置するように回転させる。また、排出装置１０２のコンベア６の下流側端部が第１のコンベア１０６の上方に位置するように、排出装置１０２を配置する。
【００４３】
次に、閉鎖板１４を回転させて開口１８を開放し、バックホー１０４により護岸上の石炭を排出装置１０２の貯蔵部２に投下する。そして、切り出し装置４のモータ２４を駆動させて、回転羽根部２６を回転させる。
【００４４】
これにより、貯蔵部２に投下された石炭は、開口１８から受部１６上に排出され、受部１６に排出された石炭は、切り出し装置４によりコンベア６上に投下される。そして、コンベア６上に投下された石炭はコンベア６により搬送され、第１のコンベア１０６上に投下される。そして、石炭は、第１〜第５のコンベア１０６、１０８、１１０、１１２、１１４を介して、スプレッダー１１６まで運ばれ、スプレッダー１１６によりバージ船に投下される。
【００４５】
本実施形態によっても、第１実施形態と同様の効果が得られる。
【００４６】
なお、上記各実施形態では、貯蔵部の開口部が斜め下方に向かって開口している場合について説明したが、これに限らず、一方の側壁部を、下端が他方の側壁部の下端の下方に位置するまで延出させ、側方に向かって開口する構成としてもよい。
【００４７】
また、上記各実施形態では、切り出し羽根が９０°間隔で４枚、回転軸に取り付けられた場合について説明したが、切り出し羽根の取り付け枚数に制限はない。
【００４８】
また、上記各実施形態では、切り出し羽根の取付角度を３０°ずつ、ずらした区間が順番に並んでいる場合について説明したが、切り出し羽根の基準となる取付角度に対して、ずらす角度（以下、設定角度という）は３０°以外としても良く、設定角度には制限がない。また、例えば、設定角度が１５°ずつ異なるように設定する場合において、設定角度が０°の区間、設定角度が７５°の区間、設定角度が１５°の区間、設定角度が４５°の区間、設定角度が３０°の区間の順序で並んでいてもよく、要するに設定角度が等間隔に設定されていれば、順序は問わない。さらに、回転軸の何れか一区間の取付角度が、他の一区間の角度と異なっていれば、モータにかかる負荷を分散する効果が得られる。
【００４９】
また、本実施形態では、バージ船から護岸への荷揚げの場合について説明しているが、これに限らず、バージ船からバージ船、又は護岸からバージ船への移送にも本発明を適用できる。
【００５０】
また、本実施形態では、粒状物として石炭を移送する場合について説明したが、これに限らず、鉄鉱石等の鉱物や、大豆、トウモロコシ等の穀物に対しても本発明を適用でき、要するに小塊であれば本発明を適用できる。
【００５１】
また、本実施形態では、閉鎖板が側壁部の下端に回転可能に取り付けられた場合について説明したが、これに限らず、側壁部に沿って移動可能としてもよく、要するに開口部の開口幅を調整できればよい。
【符号の説明】
【００５２】
１  バージ船
２  貯蔵部
４  切り出し装置
６  コンベア
１０、１０２  排出装置
１２Ａ、１２Ｂ  側壁部
１４  閉鎖板
１６  受部
１８  開口
２０  鉛直部
２２  水平部
２４  モータ
２６  回転羽根部
２６Ａ  回転軸
２６Ｂ  切り出し羽根
２６Ｃ  フランジプレート
【図１】
2014131881.tif 000003
【図２】
2014131881.tif 000004
【図３】
2014131881.tif 000005
【図４】
2014131881.tif 000006
【図５】
2014131881.tif 000007
【図６】
2014131881.tif 000008
【図７】
2014131881.tif 000009
【図８】
2014131881.tif 000010
【図９】
2014131881.tif 000011
【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
貯蔵部と、前記貯蔵部に貯蔵された石炭や鉱石などの小塊を切り出す切り出し装置と、前記切り出し装置により切り出された小塊を搬送するコンベアと、を備えた排出装置であって、
前記貯蔵部は少なくとも下部が互いに近接するように傾斜する一対の側壁を備え、前記一対の側壁の間に前記小塊を貯蔵する空間が形成され、前記一対の側壁のうちの一方の下端は、他方の側壁の下端よりも下方まで延出しており、前記両側壁の下端の間に水平方向に延びる開口部が形成されており、
前記貯蔵部は、前記開口部の下方に設けられ、上面に前記開口部から流出した前記小塊を受ける受部をさらに有し、
前記切り出し装置は、前記受部上に設けられ、前記開口部の長手方向に沿って延びる回転軸と、前記回転軸を中心として径方向外方に伸びる切り出し羽根とを備えた回転羽根部と、前記回転軸を回転駆動させる駆動装置と、を備えることを特徴とする排出設備。
【請求項２】
前記回転羽根部は、前記回転軸の軸方向に複数の区間に分割されており、少なくとも一区間における回転羽根部の回転軸に対する取付角度が、他の何れか一区間における回転羽根部の回転軸に対する取付角度と異なっている、
請求項１に記載された排出設備。
【請求項３】
前記複数の区間における回転羽根部の取付角度は、それぞれ、等角度間隔となるように決定された複数の角度の何れかに設定されている、
請求項２に記載された排出設備。
【請求項４】
前記開口部の開口幅を変更可能な閉鎖板を備える、
請求項１乃至３の何れか１項に記載された排出設備。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
貯蔵部と、前記貯蔵部に貯蔵された石炭や鉱石などの小塊を切り出す切り出し装置と、前記切り出し装置により切り出された小塊を搬送するコンベアと、を備えた排出装置であって、
前記貯蔵部は少なくとも下部が互いに近接するように傾斜する一対の側壁を備え、前記一対の側壁の間に前記小塊を貯蔵する空間が形成され、前記一対の側壁のうちの一方の下端は、他方の側壁の下端よりも下方まで延出しており、前記両側壁の下端の間に水平方向に延びる開口部が形成されており、
前記貯蔵部は、前記開口部の下方に設けられ、上面に前記開口部から流出した前記小塊を受ける受部をさらに有し、
前記切り出し装置は、前記受部上に設けられ、前記開口部の長手方向に沿って延びる回転軸と、前記回転軸を中心として径方向外方に伸びる切り出し羽根とを備えた回転羽根部と、前記回転軸を回転駆動させる駆動装置と、を備え、
前記回転軸が、前記他方の側壁の下端の直下に位置していることを特徴とする排出設備。
【請求項２】
前記回転羽根部は、前記回転軸の軸方向に複数の区間に分割されており、少なくとも一区間における回転羽根部の回転軸に対する取付角度が、他の何れか一区間における回転羽根部の回転軸に対する取付角度と異なっている、
請求項１に記載された排出設備。
【請求項３】
前記複数の区間における回転羽根部の取付角度は、それぞれ、等角度間隔となるように決定された複数の角度の何れかに設定されている、
請求項２に記載された排出設備。
【請求項４】
前記開口部の開口幅を変更可能な閉鎖板を備える、
請求項１乃至３の何れか１項に記載された排出設備。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
船舶上に設けられ、前記船舶外の集積場所に集積された石炭や鉱石などの小塊を、前記船舶外の所定の位置に移送するための移送システムであって、
貯蔵部、前記貯蔵部に貯蔵された石炭や鉱石などの小塊を切り出す切り出し装置、前記切り出し装置により切り出された小塊を搬送する排出装置用コンベア、および、前記船舶上を移動するための移動手段、を備えた排出装置と、
前記小塊を前記集積場所から、前記貯蔵部へ投入するための前記船舶上を移動可能な投入装置と、
前記排出装置用コンベアから排出された小塊を受け、当該小塊を前記船舶外の所定の位置へと搬送する搬送装置と、を備え、
前記排出装置は、
前記貯蔵部は少なくとも下部が互いに近接するように傾斜する一対の側壁を備え、前記一対の側壁の間に前記小塊を貯蔵する空間が形成され、前記一対の側壁のうちの一方の下端は、他方の側壁の下端よりも下方まで延出しており、前記両側壁の下端の間に水平方向に延びる開口部が形成されており、
前記貯蔵部は、前記開口部の下方に設けられ、上面に前記開口部から流出した前記小塊を受ける受部をさらに有し、
前記切り出し装置は、前記受部上に設けられ、前記開口部の長手方向に沿って延びる回転軸と、前記回転軸を中心として径方向外方に伸びる切り出し羽根とを備えた回転羽根部と、前記回転軸を回転駆動させる駆動装置と、を備え、
前記回転軸が、前記他方の側壁の下端の直下に位置していることを特徴とする移送システム。
【請求項２】
前記回転羽根部は、前記回転軸の軸方向に複数の区間に分割されており、少なくとも一区間における回転羽根部の回転軸に対する取付角度が、他の何れか一区間における回転羽根部の回転軸に対する取付角度と異なっている、
請求項１に記載された移送システム。
【請求項３】
前記複数の区間における回転羽根部の取付角度は、それぞれ、等角度間隔となるように決定された複数の角度の何れかに設定されている、
請求項２に記載された移送システム。
【請求項４】
前記搬送装置は、
前記開口部の開口幅を変更可能な閉鎖板を備える、
請求項１乃至３の何れか１項に記載された移送システム。
【手続補正３】
【補正対象書類名】明細書
【補正対象項目名】０００７
【補正方法】変更
【補正の内容】
【０００７】
本発明の移送システムは、船舶上に設けられ、船舶外の集積場所に集積された石炭や鉱石などの小塊を、船舶外の所定の位置に移送するための移送システムであって、
貯蔵部、貯蔵部に貯蔵された石炭や鉱石などの小塊を切り出す切り出し装置、切り出し装置により切り出された小塊を搬送する排出装置用コンベア、および、船舶上を移動するための移動手段、を備えた排出装置と、小塊を前記集積場所から、貯蔵部へ投入するための船舶上を移動可能な投入装置と、排出装置用コンベアから排出された小塊を受け、小塊を船舶外の所定の位置へと搬送する搬送装置と、を備え、排出装置は、貯蔵部は少なくとも下部が互いに近接するように傾斜する一対の側壁を備え、一対の側壁の間に小塊を貯蔵する空間が形成され、一対の側壁のうちの一方の下端は、他方の側壁の下端よりも下方まで延出しており、両側壁の下端の間に水平方向に延びる開口部が形成されており、貯蔵部は、開口部の下方に設けられ、上面に前記開口部から流出した前記小塊を受ける受部をさらに有し、切り出し装置は、受部上に設けられ、開口部の長手方向に沿って延びる回転軸と、回転軸を中心として径方向外方に伸びる切り出し羽根とを備えた回転羽根部と、回転軸を回転駆動させる駆動装置と、を備え、回転軸が、他方の側壁の下端の直下に位置していることを特徴とする。